(57)【特許請求の範囲】
【請求項１】
室内に設置される室内ユニット（１２）と、
室外に設置される室外ユニット（２０）と、
室外に設置されており、室外空気に含まれる水分を吸着可能であると共に加熱されることにより水分を脱離する脱着ロータ（５２）と、前記脱着ロータから水分を脱離させるために前記脱着ロータを通る空気を加熱するヒータ（６０）と、前記ヒータによって加熱された空気を前記脱着ロータに流す空気流れを生成するファン（５４）と、を有する加湿ユニット（５０）と、
前記加湿ユニットと前記室内ユニットとを接続しており、前記脱着ロータから脱離された水分を含む空気を前記室内ユニットに供給可能な加湿空気供給路（１５）と、
を備え、
前記ヒータは、発熱体としてのヒータ本体（６３ａ）と、前記ヒータ本体よりも前記空気流れ下流側に位置しており前記空気流れ方向に交差する方向に延びる交差部（６８ａ）と前記交差部の端部から前記空気流れ方向に延びる傾斜部（６８ｂ）とを含む風向調整板（６４）と、を有し、
前記傾斜部は、前記ヒータ本体を通った空気が前記脱着ロータ側に向かうように前記空気流れを規制する傾斜面（６８ｂａ）を含む、
空気調和機（１０）。
【請求項２】
前記風向調整板には、前記風向調整板の長手方向に長いスリット状の開口（６８ａａ，６８ａｂ）が設けられており、
前記傾斜面は、前記開口の長手方向の縁に沿って配置されている、
請求項１に記載の空気調和機。
【請求項３】
前記ヒータは、前記風向調整板とは別部材であって、前記ヒータ本体を支持するヒータ支持枠（６３ｂ）を更に有する、
請求項１又は２に記載の空気調和機。
【請求項４】
前記風向調整板は、前記ヒータ本体を支持するヒータ支持枠（２６３ｂ）の一部である、
請求項１又は２に記載の空気調和機。
【請求項５】
前記ヒータは、前記ヒータ本体から前記脱着ロータに向かう空気流路（６６）を構成する流路形成部（６２）を更に有し、
前記風向調整板は、前記空気流路において、前記ヒータ本体近傍の領域に配置されている、
請求項１から４のいずれか１項に記載の空気調和機。
【請求項６】
前記ヒータは、前記ヒータ本体から前記脱着ロータに向かう空気流路（６６）を構成する流路形成部（６２）を更に有し、
前記風向調整板は、前記空気流路において、前記ヒータ本体から離れた領域に配置されている、
請求項１から４のいずれか１項に記載の空気調和機。
【発明の詳細な説明】
【技術分野】
【０００１】
本発明は、室外に設置される加湿ユニットを備える空気調和機に関する。
【背景技術】
【０００２】
従来より、室外に設置される加湿ユニットから室内に設置される室内ユニットに加湿空気を供給可能な空気調和機がある。また、このような空気調和機の備える加湿ユニットには、水分の脱着が可能な脱着ロータと、脱着ロータから水分を脱離させるために脱着ロータを通過する空気を加熱するヒータと、ヒータによって加熱された空気を脱着ロータに流すファンと、を有するものがある。
【０００３】
ここで、脱着ロータを通過する空気は、ヒータで加熱されてから脱着ロータに到達するまでに温度が下がるため、温度が下がった分だけ脱着ロータで脱着される水分量が低下してしまう。この場合、ヒータの温度を上げることで脱着ロータで脱着される水分量は増加するが、脱着ロータからの水分の脱着効率が悪くなるという問題がある。
【０００４】
そこで、例えば、特許文献１（特開２０１０−１４４９７２号公報）に開示されている空気調和機の備える加湿ユニットでは、加熱装置（ヒータに相当）５１０で加熱された空気を加湿ロータ（脱着ロータに相当）５２０の各部に均等に分配するために、加熱装置５１０の有する発熱体５１１と加湿ロータ５２０との間に加湿側空気分配部５１２が配置されている（図１４及び図１５参照）。この空気調和機では、加湿側空気分配部５１２を設けて加湿ロータ５２０において加熱装置５１０で加熱された空気の通過する部分を増やし、加湿ロータ５２０から脱着する水分を増加させることで、加湿ロータ５２０の水分脱着性能を向上させている。
【発明の概要】
【発明が解決しようとする課題】
【０００５】
ところで、特許文献１に開示されている加湿側空気分配部５１２は、図１４及び図１５に示されるように、平面視で略扇形状であって複数の貫通穴が設けられているパンチング板５１２ａと、パンチング板５１２ａの内周縁部に立設された内周壁５１２ｂと、パンチング板５１２ａの外周縁部に立設された外周壁５１２ｃとから構成されている。このように、従来の技術では、脱着ロータの水分脱着性能を向上させるためには、複雑な構成の部品が必要となる。
【０００６】
そこで、本発明の課題は、簡易な構成で、脱着ロータの水分脱着性能を向上させることが可能な空気調和機を提供することにある。
【課題を解決するための手段】
【０００７】
本発明の第１観点に係る空気調和機は、室内ユニットと、室外ユニットと、加湿ユニットと、加湿空気供給路と、を備える。室内ユニットは、室内に設置される。室外ユニットは、室外に設置される。加湿ユニットは、室外に設置される。また、加湿ユニットは、脱着ロータと、ヒータと、ファンと、を有する。脱着ロータは、室外空気に含まれる水分を吸着可能であり、かつ、加熱されることにより水分を脱離する。ヒータは、脱着ロータから水分を脱離させるために脱着ロータを通る空気を加熱する。ファンは、ヒータによって加熱された空気を脱着ロータに流す空気流れを生成する。加湿空気供給路は、加湿ユニットと、室内ユニットとを接続している。また、加湿空気供給路は、脱着ロータから脱離された水分を含む空気を、室内ユニットに供給可能である。さらに、ヒータは、発熱体としてのヒータ本体と、風向調整板と、を有する。風向調整板は、ヒータ本体よりも空気流れ下流側に位置している。また、風向調整板は、交差部と、傾斜部とを含む。交差部は、前記空気流れ方向に交差する方向に延びる。傾斜部は、交差部の端部から前記空気流れ方向に延びる。また、傾斜部は、ヒータ本体を通った空気が、脱着ロータ側に向かうように前記空気流れを規制する傾斜面を含む。
【０００８】
従来では、脱着ロータの水分脱着性能を向上させるために、ヒータの下流側に複雑な形状の空気分配部を設けることで、脱着ロータにおいてヒータで加熱された空気の通過する部分が増やされている。ところが、この従来の技術では、脱着ロータの水分脱着性能を向上させるためには、複雑な構成の部品が必要となる。
【０００９】
そこで、本発明の第１観点に係る空気調和機では、ヒータ本体よりも空気流れ下流側に位置する風向調整板の傾斜面によって、ヒータ本体を通った空気の流れが脱着ロータ側に向かうように、ヒータ本体を通った空気が規制される。この空気調和機では、風向調整板の傾斜面によって、ヒータ本体を通った空気が脱着ロータ側に向かうように規制されるため、簡易な構成の風向調整板によって、脱着ロータにおいてヒータで加熱された空気の通過する部分を増やすことができる。
【００１０】
これによって、簡易な構成の風向調整板で、脱着ロータの水分脱着性能を向上させることができる。
【００１１】
本発明の第２観点に係る空気調和機は、第１観点の空気調和機において、風向調整板には、風向調整板の長手方向に長いスリット状の開口が設けられている。また、傾斜面は、開口の長手方向の縁に沿って配置されている。この空気調和機では、風向調整板に開口が形成されているため、風向調整板に開口が形成されていない場合と比較して、ヒータ本体を通過してから脱着ロータに到るまでの空気の流路を増やすことができる。
【００１２】
これによって、脱着ロータにおいてヒータ本体を通った空気の流れる部分を増やすことができる。
【００１３】
本発明の第３観点に係る空気調和機は、第１観点又は第２観点の空気調和機において、ヒータは、風向調整板とは別部材であって、ヒータ本体を支持するヒータ支持枠を更に有する。この空気調和機では、風向調整板とヒータ支持枠とが別々に形成されているため、例えば、風向調整板とヒータ支持枠とが一体成形されている場合と比較して、複雑な形状の風向調整板を容易に形成することができる。
【００１４】
本発明の第４観点に係る空気調和機は、第１観点又は第２観点の空気調和機において、風向調整板は、ヒータ本体を支持するヒータ支持枠の一部である。この空気調和機では、風向調整板がヒータ支持枠の一部であるため、例えば、風向調整板とヒータ支持枠とが別体である場合と比較して、ヒータ組立時に、風向調整板をヒータ支持枠に組み付ける作業を省略することができる。
【００１５】
本発明の第５観点に係る空気調和機は、第１観点から第４観点のいずれかの空気調和機において、ヒータは、ヒータ本体から脱着ロータに向かう空気流路を構成する流路形成部を有する。また、風向調整板は、前記空気流路において、ヒータ本体近傍の領域に配置されている。この空気調和機では、風向調整板が、ヒータ本体から脱着ロータに向かう空気流路においてヒータ本体近傍の領域に配置されているため、ヒータ本体から出た直後の高温の空気を規制することができる。
【００１６】
本発明の第６観点に係る空気調和機は、第１観点から第４観点のいずれかの空気調和機において、ヒータは、ヒータ本体から脱着ロータに向かう空気流路を構成する流路形成部を有する。また、風向調整板は、前記空気流路において、ヒータ本体から離れた領域に配置されている。この空気調和機では、風向調整板が、ヒータ本体から脱着ロータに向かう空気流路においてヒータ本体から離れた領域に配置されているため、ヒータ本体から離れた位置の空気を規制することができる。
【発明の効果】
【００１７】
本発明の第１観点に係る空気調和機では、簡易な構成の風向調整板で、脱着ロータの水分脱着性能を向上させることができる。
【００１８】
本発明の第２観点に係る空気調和機では、脱着ロータにおいてヒータ本体を通った空気の流れる部分を増やすことができる。
【００１９】
本発明の第３観点に係る空気調和機では、複雑な形状の風向調整板を容易に形成することができる。
【００２０】
本発明の第４観点に係る空気調和機では、ヒータ組立時に、風向調整板をヒータ支持枠に組み付ける作業を省略することができる。
【００２１】
本発明の第５観点に係る空気調和機では、ヒータ本体から出た直後の高温の空気を規制することができる。
【００２２】
本発明の第６観点に係る空気調和機では、ヒータ本体から離れた位置の空気を規制することができる。
【図面の簡単な説明】
【００２３】
【図１】本発明の一実施形態に係る空気調和機の正面図。
【図２】加湿ユニット及び室内機における空気の流れを説明するための図（第２吸着用空気取込口は省略）。
【図３】加湿ユニットの分解斜視図。
【図４】加湿ロータ側から視たヒータの概略図。
【図５】ヒータの部分斜視図。
【図６】加湿ロータ及びヒータの概略図。
【図７】ヒータ支持枠の概略図。
【図８】風向調整板の概略斜視図。
【図９】（ａ）風向調整板を図８の矢印Ｘ方向から見た図、（ｂ）風向調整板の断面図（図９（ａ）のｂ−ｂ断面に相当）。
【図１０】風向調整板とヒータ支持枠との位置関係を説明するための図。
【図１１】変形例（Ａ）におけるヒータの概略図。
【図１２】変形例（Ｂ）におけるヒータの概略図。
【図１３】変形例（Ｂ）におけるヒータ支持枠の概略図。
【図１４】従来のヒータの概略図。
【図１５】従来のヒータの概略図。
【発明を実施するための形態】
【００２４】
以下、図面を参照しながら、本発明の一実施形態に係る空気調和機１０について説明する。なお、以下の実施形態は、本発明の具体例であって、本発明の技術的範囲を限定するものではない。
【００２５】
（１）空気調和機の構成
空気調和機１０は、図１に示すように、１台の室外機１１と、１台の室内機１２とが冷媒配管によって並列に接続されているペア型の空気調和機である。また、この空気調和機１０は、冷房運転、暖房運転、除湿運転、加湿運転、給気運転および排気運転等の運転を行うことができる。なお、本実施形態の空気調和機は、ペア型の空気調和機であるが、これに限定されず、１台の室外機に複数台の室内機が接続されたマルチ型の空気調和機であってもよい。
【００２６】
室外機１１は、図２に示すように、室外熱交換器２４や室外ファン２９などを内部に収容する室外空調ユニット２０と、加湿ユニット５０とを備えている。室内機１２の内部には室内熱交換器１３および室内ファン１４等が収容されている。また、加湿ユニット５０と室内機１２との間には、加湿ユニット５０の内部空間と室内機１２の内部空間とを連通させることが可能な吸排気ダクト１５が設けられている。
【００２７】
以下に、空気調和機１０の備える室内機１２および室外機１１の詳細について説明する。
【００２８】
（２）室内機の構成
室内機１２は、室内の壁面等に設置される壁掛け型の室内機である。また、室内機１２は、室内機ケーシング１６、室内熱交換器１３及び室内ファン１４を備えており、室内熱交換器１３及び室内ファン１４は室内機ケーシング１６内に収納されている。
【００２９】
室内熱交換器１３は、長手方向両端で複数回折り返されてなる伝熱管と、伝熱管から挿通される複数のフィンとからなり、接触する空気との間で熱交換を行う。
【００３０】
室内ファン１４は、クロスフローファンであって、回転駆動することによって、回転軸と交わる方向に空気流を生成する。室内ファン１４は、室内の空気を室内機１２内に吸い込ませるとともに、室内熱交換器１３との間で熱交換を行った後の空気を室内に吹き出させる。
【００３１】
また、室内機１２内には、室内ファン１４が回転し空気流が生成されている状態で、室内機１２の上部に設けられている空気取込口１６ａの下流側であり、かつ、室内熱交換器１３の上流側の空間に、吸排気ダクト１５の一方の端部が配置されている。
【００３２】
（３）室外機の構成
室外機１１は、図１および図２に示すように、下部の室外空調ユニット２０と、上部の加湿ユニット５０とから構成されている。このため、この室外機１１では、室外空調ユニット２０と加湿ユニット５０との電源を一元化することができる。
【００３３】
（３−１）室外空調ユニットの構成
室外空調ユニット２０内には、図２に示すように、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された室外膨張弁２５とが収容されている。室外膨張弁２５は、フィルタ２６および液閉鎖弁２７を介して液冷媒配管に接続されており、この液冷媒配管を介して室内熱交換器１３の一端と接続されている。また、四路切換弁２２は、ガス閉鎖弁２８を介してガス冷媒配管に接続されており、このガス冷媒配管を介して室内熱交換器１３の他端と接続されている。
【００３４】
（３−２）加湿ユニットの構成
図３は、加湿ユニット５０の分解斜視図である。
【００３５】
加湿ユニット５０は、図１、図２及び図３に示すように、加湿ユニットケーシング５１と、加湿ロータ（脱着ロータに相当）５２と、ヒータ６０と、吸着用送風装置５５と、流路切換装置５３と、吸排気ファン５４と、を備えている。加湿ユニット５０は、室内から取り込まれた空気を室外へと排気したり、室外から取り込まれた室外空気を室内へと供給したりすることができる。また、室外空気を加湿して室内へと供給することもできる。
【００３６】
（３−２−１）加湿ユニットケーシング
加湿ユニットケーシング５１は、加湿ロータ５２、ヒータ６０、吸排気ファン５４、流路切換装置５３および吸着用送風装置５５等を収納している。
【００３７】
加湿ユニットケーシング５１の前面（正面）には、図１及び図３に示すように、複数のスリット状の開口からなる吸着用空気吹き出し口５１ａ及び第１吸着用空気取込口５１ｂが並んで設けられている。第１吸着用空気取込口５１ｂは、加湿ロータ５２に水分を吸着させるために室外から取り込まれる空気が通る開口である。吸着用空気吹き出し口５１ａは、吸湿用流路５８ａを流れて加湿ロータ５２によって水分が吸着された後の空気を、加湿ユニットケーシング５１外に排出するための開口である。また、加湿ユニットケーシング５１の背面には、複数のスリット状の開口からなる第２吸着用空気取込口５１ｃおよび吸排気口５１ｄが設けられている（図２及び図３参照）。第２吸着用空気取込口５１ｃは、第１吸着用空気取込口５１ｂと同様に、加湿ロータ５２に水分を吸着させるために室外から取り込まれる空気が通る開口である。吸排気口５１ｄは、加湿運転時或いは給気運転時に、室外の空気を加湿用流路５８ｂに取り込むための開口である。室外の空気が加湿用流路５８ｂに流入すると、加湿ロータ５２の一部分を通過した後、ヒータ６０で加熱されてから、加湿ロータ５２の別の部分を通過して、吸排気ファン５４へ向かって流れる。また、排気運転時には、室内機１２から取り込まれた空気が、加湿ユニット５０内の加湿用流路５８ｂに流入し、吸排気口５１ｄを介して室外へと排気される。
【００３８】
（３−２−２）加湿ロータ
加湿ロータ５２は、ハニカム構造のセラミックロータであり、略円板状の外形を有している。また、加湿ロータ５２は、回転可能に設けられており、ロータ駆動用モータによって回転駆動される。さらに、加湿ロータ５２の主たる部分は、ゼオライト等の吸着剤から焼成されている。ゼオライト等の吸着剤は、接触する空気中の水分を吸着するとともに、吸着した水分を加熱されることによって脱離するという性質を有している。なお、本実施形態では、吸着剤としてゼオライトを用いているが、シリカゲルやアルミナ等を吸着剤として用いることも可能である。このように加湿ロータ５２が略円板状であることで、加湿ユニット５０を小型化することができる。
【００３９】
（３−２−３）ヒータ
ヒータ６０は、加湿ロータ５２の上方に位置しており、加湿ロータ５２に対向して配置されている。また、ヒータ６０は、加湿ロータ５２から水分を脱離させるために加湿ロータ５２へ送られる空気を加熱する。ヒータ６０によって加熱された空気が、加湿ロータ５２へ送られることで、加湿ロータ５２は加熱されることになる。
【００４０】
ヒータ６０は、図４、図５及び図６に示すように、主に、外殻部６１と、流路形成部６２と、本体６３と、風向調整板６４と、を備えている。
【００４１】
外殻部６１は、半円形状の基部６１ａと、基部６１ａの縁部から立設する外壁部６１ｂとを有しており、本体６３及び風向調整板６４の固定された流路形成部６２を内部に収容可能である。また、基部６１ａには、流路形成部６２、本体６３及び風向調整板６４を、ネジ６５ａ，６５ｂ，６５ｃによって外殻部６１に固定するためのネジ穴（図示せず）が設けられている。
【００４２】
流路形成部６２は、略扇形状の板部６２ａと、板部６２ａの縁部から立設する側壁部６２ｂとを有している。また、板部６２ａ及び側壁部６２ｂには、後述するヒータ支持枠６３ｂに設けられている爪部（図示せず）に対応する位置に貫通孔（図示せず）が設けられている。さらに、板部６２ａと側壁部６２ｂとは、加湿用流路５８ｂの一部であって、本体６３から吹き出され、加湿ロータ５２に向かう空気の流れる加熱空気流路６６を構成している。板部６２ａと側壁部６２ｂとによって構成される加熱空気流路６６は、平面視において略扇形状を呈しており、後述する出口側開口６３ｂｃよりも空気流下流側に位置している（図６参照）。
【００４３】
本体６３は、発熱体としての複数の電熱線（ヒータ本体に相当）６３ａと、電熱線６３ａを収納するヒータ支持枠６３ｂとを有している。また、ヒータ支持枠６３ｂの天面６３ｂａには、複数の爪部（図示せず）が設けられている。これら爪部が、流路形成部６２に設けられている貫通孔の周縁部に係止されることで、ヒータ支持枠６３ｂが流路形成部６２に固定される。また、ヒータ支持枠６３ｂには、入口側開口６３ｂｂと、入口側開口６３ｂｂに対向する出口側開口６３ｂｃとが設けられている（図５及び図７参照）。入口側開口６３ｂｂを介してヒータ支持枠６３ｂの内部に入った空気は、電熱線６３ａによって加熱され、出口側開口６３ｂｃを介してヒータ支持枠６３ｂから吹き出される。なお、本実施形態では、ヒータ支持枠６３ｂと風向調整板６４とは、別々の部品である。
【００４４】
風向調整板６４は、電熱線６３ａよりも空気流下流側であって、加熱空気流路６６において本体６３近傍の領域に配置されている。具体的には、加熱空気流路６６を、略同一の体積となるように、前部と、前部よりも空気流下流側の後部との２つに分けた場合に、本実施形態の風向調整板６４は、その半分以上が前部に配置されている。また、風向調整板６４は、図８及び図９に示すように、断面が略Ｌ字形状を呈する板状の部材であって、略長方形状を呈する第１板部６７と、第１板部６７の一方の長辺から第１板部６７に交差する方向に延びる第２板部６８とを有する。
【００４５】
第１板部６７の一方の端部には、風向調整板６４を流路形成部６２及び外殻部６１に固定するためのネジ穴６７ａが設けられている。
【００４６】
第２板部６８は、交差部６８ａと、第１傾斜部６８ｂと、第２傾斜部６８ｃとを含む。交差部６８ａは、略長方形状を呈しており、風向調整板６４が流路形成部６２に固定された状態で、加熱空気流路６６を流れる空気流と交差するように配置される。具体的には、交差部６８ａは、図１０に示すように、交差部６８ａのヒータ支持枠６３ｂ側の面６８ａｃを含む平面である第１仮想面Ｐ２と、ヒータ支持枠６３ｂの出口側開口６３ｂｃの開口面を含む平面である第２仮想面Ｐ１とが所定角度θで交差するように、加熱空気流路６６内に配置されている。なお、本実施形態では、所定角度θは１５度であるが、所定角度θの角度はこれに限定されず、交差部６８ａが加湿空気流路６６を流れる空気の流れと交差するように位置するような角度であればよい。また、所定角度θは、１０度から２０度の範囲であることが好ましい。また、交差部６８ａには、その長手方向に沿ったスリット状の開口６８ａａ，６８ａｂが複数（本実施形態では、４つ）形成されている。なお、以下より、説明の便宜上、交差部６８ａに設けられている開口のうち第１板部６７に近い部分に設けられている２つの開口を第１開口６８ａａといい、第１開口６８ａａよりも第１板部６７から遠い部分に設けられている２つの開口を第２開口６８ａｂという。
【００４７】
第１傾斜部６８ｂ及び第２傾斜部６８ｃは、本体６３を通った空気が加湿ロータ５２側に向かうように、出口側開口６３ｂｃから流れてきた空気を規制する。第１傾斜部６８ｂは、風向調整板６４が流路形成部６２に固定された状態で、交差部６８ａの端部からヒータ支持枠６３ｂの出口側開口６３ｂｃから離れる方向（空気の流れる方向）に延びている。また、第１傾斜部６８ｂは、第１開口６８ａａ及び第２開口６８ａｂの長手方向に沿うように位置している。なお、本実施形態では、交差部６８ａの面６８ａｃと第１傾斜部６８ｂの加湿ロータ５２に近い側の面６８ｂａ（傾斜面に相当）とのなす鋭角の角度は、図９（ｂ）に示すように、３０度となるように設計されている。
【００４８】
第２傾斜部６８ｃは、第１開口６８ａａ及び第２開口６８ａｂの長手方向に沿うように位置しており、第２開口６８ａｂの長手方向に平行な縁部のうち第１板部６７に近い側の縁部近傍から第１傾斜部６８ｂとは異なる方向に延びている。なお、本実施形態では、交差部６８ａの面６８ａｃと第２傾斜部６８ｃの加湿ロータ５２に近い側の面６８ｃａ（傾斜面に相当）とのなす鋭角の角度は、図９（ｂ）に示すように、４０度となるように設計されている。
【００４９】
なお、本実施形態では、交差部６８ａの面６８ａｃと第１傾斜部６８ｂの面６８ｂａとのなす角度と、交差部６８ａの面６８ａｃと第２傾斜部６８ｃの面６８ｃａとのなす角度とが、異なる角度となるように設計されているが、これに限定されず、交差部６８ａの面６８ａｃと第１傾斜部６８ｂの面６８ｂａとのなす角度と、交差部６８ａの面６８ａｃと第２傾斜部６８ｃの面６８ｃａとのなす角度が同じ角度となるように設計されていてもよい。
【００５０】
電熱線６３ａによって加熱された空気は、加熱空気流路６６を流れ、風向調整板６４を介して加湿ロータ５２に向かう。このとき、出口側開口６３ｂｃから加熱空気流路６６に吹き出された空気は、風向調整板６４の交差部６８ａの面６８ａｃによって規制されたり、交差部６８ａの第１開口６８ａａ或いは第２開口６８ａｂを通過したり、第１傾斜部６８ｂの面６８ｂａ及び面６８ｂａとは反対側の面６８ｂｂや第２傾斜部６８ｃの面６８ｃａ及び面６８ｃａとは反対側の面６８ｃｂによって規制されて加湿ロータ５２に向かって案内されたりすることで、加湿ロータ５２に到る（図６の矢印参照）。なお、図６の矢印は、加熱空気流路６６を流れる空気の向かう方向の一例を示している。
【００５１】
ここで、発明者は、上記ヒータ６０と、上記ヒータ６０から風向調整板６４を除いたヒータとのそれぞれにおいて、加熱空気流路６６の各部位における温度を測定して、加熱空気流路６６における温度分布を解析した。
【００５２】
この結果、上記ヒータ６０から風向調整板６４を除いたヒータでは、加熱空気流路６６の内周側の領域（本実施形態の風向調整板６４を設置した場合の風向調整板６４よりも内側の領域）の温度が、加熱空気流路６６の外周側の領域（本実施形態の風向調整板６４を設置した場合の風向調整板６４よりも外側の領域）の温度よりも低かった。これに対して、上記ヒータ６０では、加熱空気流路６６の内周側の領域と外周側の領域との温度差が、上記ヒータ６０から風向調整板６４を除いたヒータにおける加熱空気流路６６の内周側の領域と外周側の領域との温度差よりも小さくなっていた。したがって、上記ヒータ６０では、電熱線６３ａで加熱された空気が、風向調整板６４によって規制されることで加熱空気流路６６全体にムラなく行き渡り、加湿ロータ５２の一部に偏ることなく案内される。これにより、加湿ロータ５２の温度分布が均一に近づくようにすることができる。
【００５３】
また、発明者は、本実施形態の空気調和機１０と、上記ヒータ６０から風向調整板６４を除いたヒータを備える空気調和機との間で、加湿量（加湿ロータ５２から脱離される水分量）を測定した。この結果、１時間当たりの平均加湿量は、本実施形態における空気調和機１０の方が、上記ヒータ６０から風向調整板６４を除いたヒータを備える空気調和機よりも多かった。このように、電熱線６３ａによって加熱された空気が、風向調整板６４に規定されることで加湿ロータ５２の外周縁部だけでなく内周縁部にも流れることで、内周縁部及び外周縁部における加湿効率を向上させることができ、この結果、加湿ロータ５２の水分脱着性能を向上することができる。なお、ここでいう加湿ロータ５２の内周縁部とは、加湿ロータ５２の上方にヒータ６０が設置された状態の平面視（図６参照）において、風向調整板６４よりも内周側の領域（加熱空気流路６６の内周側の領域）のことであり、加湿ロータ５２の外周縁部とは、加湿ロータ５２の上方にヒータ６０が設置された状態の平面視（図６参照）において、風向調整板６４よりも外周側の領域（加熱空気流路６６の外周側の領域）のことである。
【００５４】
（３−２−４）吸排気ファン
吸排気ファン５４は、加湿ロータ５２の側方に配置されており、室外から取り込まれ室内機１２へと送られる空気の流れ、及び、室内から室内機１２内に取り込まれ室外へと送られる空気の流れを生成する遠心ファン組立体である。吸排気ファン５４は、室外から取り入れた空気を室内機１２へと送る場合には、吸排気口５１ｄから室外の空気を加湿用流路５８ｂに流入させ、加湿ロータ５２を通過させた後、流路切換装置５３及び吸排気ダクト１５を介して室内機１２へと流れる空気流を生成する。このとき、図２に示すＡ１方向に空気が流れる。また、吸排気ファン５４は、室内の空気を室内機１２から室外へと排出する場合には、室内機１２から吸排気ダクト１５、加湿用流路５８ｂを介して吸排気口５１ｄから室外へと流れる空気流を生成する。このとき、図２に示すＡ２方向に空気が流れる。なお、本実施形態における吸排気ファン５４は、ターボファンである。
【００５５】
（３−２−５）流路切換装置
流路切換装置５３は、吸排気ファン５４と吸排気ダクト１５との間に配置されている。また、流路切換装置５３は、吸排気ファン５４と吸排気ダクト１５との接続状態を、加湿用流路５８ｂと吸排気ダクト１５とを接続した状態の供給状態と、加湿用流路５８ｂと吸排気ダクト１５との接続を解除した供給停止状態とに切り換えることが可能である。供給状態では、加湿用流路５８ｂから吸排気ダクト１５への空気の流れ、或いは、吸排気ダクト１５から加湿用流路５８ｂへの空気の流れを許容する。このため、給気状態では、加湿用流路５８ｂを流れ吸排気ファン５４から吹き出された空気が吸排気ダクト１５へと流れたり、室内機１２から吸排気ダクト１５を通って吸排気ファン５４に吸い込まれた空気が加湿用流路５８ｂに流れたりする。このため、給気状態では、図２に示すＡ１方向に空気が流れ、室外の空気が吸排気ダクト１５を通って室内機１２へと供給されたり、図２に示すＡ２方向に空気が流れ、室内機１２から吸排気ダクト１５を通ってきた空気が、吸排気口５１ｄを経て室外へと排気されたりする。また、供給停止状態では、加湿用流路５８ｂから吸排気ダクト１５への空気の流れ、或いは、吸排気ダクト１５から加湿用流路５８ｂへの空気の流れが遮断される。このため、供給停止状態では、室外の空気が室内機１２内に供給されたり、室内機１２内の空気が室外に排気されたりしないようになる。
【００５６】
（３−２−６）吸着用送風装置
吸着用送風装置５５は、吸着用ファンモータ５９ｂと、吸着用ファンモータ５９ｂによって回転駆動される吸着ファン５９ａとを有し、加湿ロータ５２のうちのヒータ６０と対向しない部分を通過する空気の流れを生成する。すなわち、吸着用送風装置５５は、第１吸着用空気取込口５１ｂ及び第２吸着用空気取込口５１ｃから吸い込まれ、吸湿用流路５８ａを流れて、吸着用空気吹き出し口５１ａから室外へ排出される空気の流れを生成する。
【００５７】
（３−２−７）加湿運転時の空気の流れ
加湿ユニット５０内において、加湿運転時、吸着ファン５９ａが駆動されて、吸湿用流路５８ａを図２の矢印Ａ１１−１２方向に空気が流れ、かつ、吸排気ファン５４が駆動されて、加湿用流路５８ｂを図２の矢印Ａ２１−２３方向に空気が流れる。なお、加湿運転時には、加湿ロータ５２は、図３の矢印Ｙ方向に回転する。
【００５８】
矢印Ａ１１方向に流れる空気は、第１吸着用空気取込口５１ｂ及び第２吸着用空気取込口５１ｃから加湿ロータ５２を通過して、ベルマウス５７近傍へと向かう。この空気は、吸湿用流路５８ａを流れることにより、加湿ロータ５２のうちヒータ６０と対向しない部分を通過するが、この際、空気中の水分が加湿ロータ５２の前記部分に吸着される。
【００５９】
矢印Ａ１２方向に流れる空気は、ベルマウス５７近傍からベルマウス５７で囲まれた空間を通って吸着用送風装置５５内に入り、吸着用送風装置５５から吹き出されて吸着用空気吹き出し口５１ａに向かう。
【００６０】
矢印Ａ２１方向に流れる空気は、吸排気口５１ｄから加湿ロータ５２を通過してヒータ６０に向かう。この空気は、加湿ロータ５２の第１領域（加湿用流路５８ｂのヒータ６０の本体６３よりも上流側の部分に面する領域）を通過するが、この第１領域は加湿ロータ５２の矢印Ｙ方向の回転で吸湿用流路５８ａに面する。
【００６１】
矢印Ａ２２−２３方向に流れる空気は、ヒータ６０に加熱された空気が加湿ロータ５２を通過して流路切換装置５３に向かう。矢印Ａ２２方向に流れる空気は、加湿ロータ５２の第１領域とは別の略扇形状の第２領域（加湿用流路５８ｂのヒータ６０の本体６３よりも下流側の部分に面する領域であって、加熱空気流路６６に面する領域）を通過して、加湿ロータ５２を加熱する。この第２領域は、加湿ロータ５２の矢印Ｙ方向の回転で、加湿用流路５８ｂのヒータ６０よりも上流側の部分に面する。加湿ロータ５２は、加熱されることで、空気中に加湿ロータ５２に吸着されていた水分を脱離して、加湿空気を生成する。そして、矢印Ａ２３方向に流れて流路切換装置５３に到った加湿空気は、吸排気ファン５４を経由して再び流路切換装置５３に戻され、吸排気ダクト１５を経て室内機１２へと送られる。
【００６２】
（４）特徴
（４−１）
従来より、ヒータの下流側に複雑な形状の空気分配部を設けることで、脱着ロータにおいてヒータで加熱された空気の通過する部分を増やして、脱着ロータの水分脱着性能を向上させているものがある。ところが、この従来の技術では、脱着ロータの水分脱着性能を向上させるためには、複雑な構成の部品が必要である。
【００６３】
そこで、上記実施形態では、風向調整板６４の第１傾斜部６８ｂ及び第２傾斜部６８ｃによって、本体６３を通った空気が加湿ロータ５２側に向かうように、加熱空気流路６６を流れる空気が規制される。このため、従来よりも簡易な構成の風向調整板６４によって、加湿ロータ５２において加熱された空気の通過する部分を増やすことができる。
【００６４】
これによって、簡易な構成で、加湿ロータ５２の水分脱着性能を向上させることができている。
【００６５】
（４−２）
上記実施形態では、交差部６８ａには、長手方向に沿ったスリット状の第１開口６８ａａ及び第２開口６８ａｂが設けられている。このため、交差面に開口が設けられていない場合と比較して、加熱空気流路６６を流れる空気の流路を増やすことができる。
【００６６】
これによって、加湿ロータ５２において加熱された空気の通過する部分を増やすことができている。
【００６７】
また、上記実施形態では、第１傾斜部６８ｂは、第２開口６８ａｂの長手方向に沿うように配置されている。このため、第２開口６８ａを通過した空気を、加湿ロータ５２側に向かうように面６８ｂｂによって規制することができる。また、第２傾斜部６８ｃは、第１開口６８ａａ及び第２開口６８ａｂの長手方向に沿うように、第２開口６８ａｂの長手方向に平行な縁部のうち第１板部６７に近い側の縁部近傍に配置されている。このため、第１開口６８ａａを通過した空気を、加湿ロータ５２側に向かうように面６８ｃｂによって規制することができるとともに、第２開口６８ａｂを通過した空気を、加湿ロータ５２側に向かうように面６８ｃａによって規制することができる。
【００６８】
（４−３）
上記実施形態では、ヒータ支持枠６３ｂと、風向調整板６４とは、別々の部品である。このため、例えば、ヒータ支持枠と風向調整板とが一体成形されている場合と比較して、複雑な形状の風向調整板６４を容易に形成することができる。
【００６９】
（４−４）
上記実施形態では、風向調整板６４は、加熱空気流路６６において本体６３近傍の領域に配置されている。このため、出口側開口６３ｂｃから吹き出された直後の高温の空気を、加湿ロータ５２側に向かうように規制することができている。
【００７０】
（５）変形例
（５−１）変形例Ａ
上記実施形態では、風向調整板６４が、加熱空気流路６６において本体６３近傍の領域に配置されている。
【００７１】
これに代えて、風向調整板が、加熱空気流路において本体から離れた領域（加湿空気流路の後部）に配置されていてもよい。例えば、風向調整板１６４が、本体６３を通った空気が加湿ロータ５２側に向かうように傾斜部１６８ｂを有していれば、風向調整板１６４全体が、加熱空気流路６６の後部に配置されていてもよい（図１１参照）。また、図１１に示すように、加熱空気流路６６が短くなるように、風向調整板１６４が配置されていてもよい。さらに、風向調整板１６４が、図１１に示すように配置される場合には、第２板部１６８に開口が設けられていなくてもよい。
【００７２】
（５−２）変形例Ｂ
上記実施形態では、ヒータ支持枠６３ｂと風向調整板６４とは別体であり、ヒータ６０が組み立てられる際、ヒータ支持枠６３ｂに風向調整板６４がネジ止めによって固定される。
【００７３】
これに代えて、風向調整板が、ヒータ支持枠の一部であってもよい。例えば、図１２、図１３に示すように、風向調整板部２６４が、ヒータ支持枠２６３ｂの出口側開口２６３ｂｃ近傍から空気流下流側に向かって延びるように、ヒータ支持枠２６３ｂと風向調整板部２６４とが一体成形されていてもよい。また、図１２、図１３に示すように、風向調整板部２６４には、スリット状の開口２６８ａａか複数設けられており、開口２６８ａａの長手方向に平行な縁のうち出口側開口２６３ｂｃに近い側の縁から加湿ロータ５２とは反対側に向かって傾斜部２６８ｂが延びていてもよい。傾斜部２６８ｂは、スリット状の開口２６８ａａの長手方向に沿うように位置しているため、電熱線によって加熱された空気は、傾斜部２６８ｂの面によって規制され、開口２６８ａａを介して加湿ロータ５２側に向かう。このように、ヒータ支持枠２６３ｂの一部として風向調整板部２６４が設けられている場合には、ヒータ組立時にヒータ支持枠を風向調整板に組み付ける作業を省略することができる。
【００７４】
（５−３）変形例Ｃ
上記実施形態では、風向調整板６４は、第１傾斜部６８ｂと第２傾斜部６８ｃとを有しており、加熱空気流路６６を流れる空気を加湿ロータ５２側に向かうように規制する面６８ｂａ，６８ｂｂ，６８ｃａ，６８ｃｂを４つ含んでいるが、風向調整板の形状は、これに限定されない。例えば、風向調整板が、加熱空気流路６６を流れる空気を加湿ロータ５２側に向かうように規制する面を１つだけ含んでいてもよく、複数（５つ以上）含んでいてもよい。
【産業上の利用可能性】
【００７５】
本発明は、簡易な構成で、脱着ロータの水分脱着性能を向上させることが可能な風向調整板の発明であり、加湿ユニットを備える空気調和機への適用が有効である。
【符号の説明】
【００７６】
１０      空気調和機
１２      室内機（室内ユニット）
１５      吸排気ダクト（加湿空気供給路）
２０      室外空調ユニット（室外機）
５０      加湿ユニット
５２      加湿ロータ（脱着ロータ）
５４      吸排気ファン（ファン）
６０      ヒータ
６２      流路形成部
６３ａ    電熱線（ヒータ本体）
６３ｂ    ヒータ支持枠
６４      風向調整板
６６      加熱空気流路（流路）
６８ａａ  第１開口（開口）
６８ａｂ  第２開口（開口）
６８ｂａ  面（傾斜面）
【先行技術文献】
【特許文献】
【００７７】
【特許文献１】特開２０１０−１４４９７２号公報
【図１】
0005621535.tif 000002
【図２】
0005621535.tif 000003
【図３】
0005621535.tif 000004
【図４】
0005621535.tif 000005
【図５】
0005621535.tif 000006
【図６】
0005621535.tif 000007
【図７】
0005621535.tif 000008
【図８】
0005621535.tif 000009
【図９】
0005621535.tif 000010
【図１０】
0005621535.tif 000011
【図１１】
0005621535.tif 000012
【図１２】
0005621535.tif 000013
【図１３】
0005621535.tif 000014
【図１４】
0005621535.tif 000015
【図１５】
0005621535.tif 000016